(57)【要約】【課題】  右利きのユーザ、左利きのユーザのどちらのユーザにも使い易い利便性の高いビデオカメラを提供する。【解決手段】  ビデオカメラ２０において、画像表示パネル２を連結部材９を介し接合し２軸１０，１１の回転が可能なようにすることで、画像表示パネル２の使用時にビデオカメラ２０本体上方に画像表示パネル２を引き出して使用することで、使い勝手を損なうことなく、グリップベルト３を、ビデオカメラ２０の左右どちら側にも取り付けることができるようにする。【選択図】  図３
2008035344.tif 000002
【特許請求の範囲】
【請求項１】
撮像レンズを介して撮像される被写体光像を光電変換出力する撮像素子を有するカメラ部本体と、
前記光電変換出力された映像信号をモニタ表示する画像表示パネル部と、
前記画像表示パネル部のモニタ表示面側を前記カメラ部本体側面に近接させる閉位置と、前記画像表示パネル部のモニタ表示面を外部から視認できる開位置と、の間で開閉自在に支持する画像表示パネル支持部と、
を備え、
前記画像表示パネル支持部は、前記撮像レンズの光軸に対して直交する直交軸又はこの直交軸に平行な第１の軸を中心にして前記カメラ部本体に対して回動自在に支持され、前記画像表示パネル部は、該画像表示パネル部のいずれかの辺に沿い前記第１の軸と直交する直交軸又はこの直交軸に平行な第２の軸を中心にして前記前記画像表示パネル支持部により回動自在に支持されていることを特徴とするビデオカメラ。
【請求項２】
前記第１の軸上で前記画像表示パネル支持部が前記カメラ部本体に接合する部位と前記第２の軸上で前記画像表示パネル支持部が前記画像表示パネル部に接合する部位との距離が、前記第１の軸上で前記画像表示パネル支持部が前記カメラ部本体に接合する部位と前記カメラ部本体外側上面との距離より大なることを特徴とする請求項１に記載のビデオカメラ。
【請求項３】
前記画像表示パネル部が前記カメラ部本体外側に近接して前記カメラ部本体外側に収容される際に、前記画像表示パネル部は前記カメラ部本体から突出しないことを特徴とする請求項１に記載のビデオカメラ。
【発明の詳細な説明】
【技術分野】
【０００１】
本発明は、画像表示パネルを有するビデオカメラに関し、特に画像表示パネルが２軸を有する支持部で支持されその軸回りに回動することにより右利き／左利きの両方のユーザに対応することのできるビデオカメラに関する。
【背景技術】
【０００２】
従来、カメラ一体型記録再生装置として、記録媒体に光ディスクを適用した場合の従来例を図７~１０に示す。図７に示すように、従来のカメラ一体型記録再生装置においては、装置を手で持つときに手の甲に回して安定して持つことができるようにするグリップベルト３は、主に右利きのユーザの使用を第一に考え、装置の撮影する方向に対して右側に取り付けられている。
【０００３】
また、図８に示すように、記録メディアを出し入れする際に開閉する蓋４も、グリップベルト３と同じ側面に配置されており、装置本体に設けられた軸４ａを中心に回転させている。そして、図９に示す矢印Ａのように開閉するようにしている。
【０００４】
図７に示すように、画像表示パネル２は装置本体左側（グリップベルト３と逆側）に設けられており、装置本体に設けられた軸５ａを中心に回転させている。そして、図１０に示す矢印Ｂのように横方向に開くようになっている。このような形態であれば装置を手で保持している状態でも画像表示パネル２の開閉がスムーズに行なえるため非常に合理的であり使いやすく、従来の画像表示パネル付きカメラ一体型記録再生装置ではこのような形態（装置右側にグリップベルト、左側に画像表示パネル）が設けられている。
【０００５】
ところで、上述のように、従来例は主に右利きのユーザが右手で装置を保持し撮影するのに最も使い勝手のよい形態となっている反面、左利きのユーザにとっては右手で装置を保持することを強いられるため、大変使い勝手が悪いという問題があった。
【０００６】
左利きのユーザにも使いやすくするために、グリップベルト３を装置の左側に取り付けようとすると、従来例では画像表示パネル２が装置本体左側に設けられ、横方向に開くようになっているため、図１１のようにグリップベルト３に手を通した状態では画像表示パネル２を自由に開閉することができなくなるため、グリップベルト３を装置の左側に取り付けただけでは左利きのユーザに対して、使いやすいカメラ一体型記録再生装置を提供することはできない。
【０００７】
このことから考えて、左右両利きユーザに対応したビデオカメラを提供するためには、ユーザが自分の利き手により選択したグリップベルトの位置に応じて画像表示パネルの位置も選択（グリップベルトとは逆側）できるような構造にすればよい。この構成を実現するために、左右両利き対応ビデオカメラとして、画像表示パネルが左右どちら側でも使用できるように回動可能とした提案（例えば、特許文献１参照。）や画像表示パネルを着脱可能とし左右どちら側にも装着可能とした提案（例えば、特許文献２参照。）がされている。
【０００８】
【特許文献１】特開２００５−００６０９８公報
【特許文献２】特開２００５−１０９７１１公報
【発明の開示】
【発明が解決しようとする課題】
【０００９】
しかし、上述の各特許文献では、図１２、図１３に示すように、蓋４と同じ側面に画像表示パネル２を持ってきた場合、記録メディアの出し入れをするために蓋４を開ける場合には画像表示パネルを図１３の矢印Ｃの方向に一度開かなければならず、ユーザにとっては非常に使い勝手の悪いものとなってしまうという問題があった。
【００１０】
また、着脱するタイプの場合左右それぞれに接合のための機構を持たなくてはならず、機構の複雑化、部品の増加によるサイズ、コストの増加という問題があった。
【００１１】
本発明は、以上の点に鑑みなされたもので、画像表示パネル支持部を介して画像表示パネル部がカメラ部本体外側に近接して収容されるカメラ部本体外側面に取り付けられ、撮像レンズの光軸に対して垂直な方向に沿った第１の軸を中心にしてカメラ部本体に回動自在に支持され、且つ、画像表示パネル部のいずれかの辺に沿っておりモニタ表示面に対して回動自在とした第２の軸を中心にして回動自在に支持されるように構成することにより、使い勝手を損なうことなく、左利きユーザ、右利きユーザどちらのユーザにも対応可能なビデオカメラを提供することを目的とする。
【課題を解決するための手段】
【００１２】
本発明は、上記課題を解決するために、以下に記載の１）〜３）の手段よりなる。
すなわち、
１）撮像レンズを介して撮像される被写体光像を光電変換出力する撮像素子を有するカメラ部本体と、
前記光電変換出力された映像信号をモニタ表示する画像表示パネル部と、
前記画像表示パネル部のモニタ表示面側を前記カメラ部本体側面に近接させる閉位置と、前記画像表示パネル部のモニタ表示面を外部から視認できる開位置と、の間で開閉自在に支持する画像表示パネル支持部と、
を備え、
前記画像表示パネル支持部は、前記撮像レンズの光軸に対して直交する直交軸又はこの直交軸に平行な第１の軸を中心にして前記カメラ部本体に対して回動自在に支持され、前記画像表示パネル部は、該画像表示パネル部のいずれかの辺に沿い前記第１の軸と直交する直交軸又はこの直交軸に平行な第２の軸を中心にして前記前記画像表示パネル支持部により回動自在に支持されていることを特徴とするビデオカメラ。
２）前記第１の軸上で前記画像表示パネル支持部が前記カメラ部本体に接合する部位と前記第２の軸上で前記画像表示パネル支持部が前記画像表示パネル部に接合する部位との距離が、前記第１の軸上で前記画像表示パネル支持部が前記カメラ部本体に接合する部位と前記カメラ部本体外側上面との距離より大なることを特徴とする１）に記載のビデオカメラ。
３）前記画像表示パネル部が前記カメラ部本体外側に近接して前記カメラ部本体外側に収容される際に、前記画像表示パネル部は前記カメラ部本体から突出しないことを特徴とする１）に記載のビデオカメラ。
【発明の効果】
【００１３】
本発明におけるビデオカメラでは、画像表示パネル支持部を介して画像表示パネル部がカメラ部本体外側に近接して収容されるカメラ部本体外側面に取り付けられ、撮像レンズの光軸に対して垂直な方向に沿った第１の軸を中心にしてカメラ部本体と回動自在に支持され、且つ、画像表示パネル部のいずれかの辺に沿っておりモニタ表示面に対して回動自在とした第２の軸を中心にして回動自在に支持して、カメラ部本体と画像表示パネル部を連結して使用時には表示画面がカメラ部本体を把持して撮影するユーザの方向を向くようにすることで、グリップベルトをビデオカメラの左右どちら側に取り付けた場合でも使い勝手を損なうことなくビデオカメラを把持することが可能になり、右利きのユーザ、左利きのユーザどちらでも使いやすいビデオカメラを提供することができる。
【発明を実施するための最良の形態】
【００１４】
以下、本発明に係るビデオカメラを実施するための最良の形態につき、好ましい実施例により説明する。
【００１５】
図１に本実施例に適用されるビデオカメラの構造を示す外観図である。従来例と同一の構成要素については同一の符号を付与している。図１に示すように、ビデオカメラ２０には被写体を撮影するカメラ部本体１と、撮影した被写体の映像を表示する画像表示パネル２と、ビデオカメラ２０を手で把持するときに手の甲に回して安定して持つことができるようにするグリップベルト３が備えられている。
同図に示しているのは、画像表示パネル２をカメラ部本体１の画像表示パネル２の少なくとも一部が収容される側面であるカメラ部本体側面１ａに収容されている状態を示している。このように収容時は、カメラ部本体１より画像表示パネル２及び連結部材９は、カメラ部本体１より突出しない構成となっている。
【００１６】
またビデオカメラ２０後部にはグリップベルト取り付け部材７及びグリップベルト取り付け部材８が設けられており、ユーザがグリップベルト３を取り付ける際に、グリップベルト取り付け部材７及びグリップベルト取り付け部材８を自由にどちら側でも選択できるようになっている。図１には図示しないが、ビデオカメラ２０前部にはさらにグリップベルト取り付け部材７及びグリップベルト取り付け部材８に対応したグリップベルト取り付け部材６が設けられており、ビデオカメラ２０右側にグリップベルト３を取り付ける場合は、すなわち右手でビデオカメラ２０を保持する場合は、グリップベルト取り付け部材６とグリップベルト取り付け部材７を選択してグリップベルト３を取り付けるようにする。
【００１７】
同図に示すように、グリップベルト取り付け部材６とグリップベルト取り付け部材７を選択してグリップベルト３を取り付けるようにしており、右手でビデオカメラ２０を保持する場合を説明するものである。
【００１８】
また、後述のビデオカメラ２０のユーザ側からみて左側にグリップベルト３を取り付ける場合は、すなわち左手でビデオカメラ２０を保持する場合は、グリップベルト取り付け部材６とグリップベルト取り付け部材８を選択してグリップベルト３を取り付けるようにする。このように構成することにより自由にどちら側にもグリップベルト３を装着可能としている。
【００１９】
また、画像表示パネル２は、連結部材９を介してビデオカメラ２０に連結されており、また連結部材９はビデオカメラ２０の側面１ａ上部に設けた側面１ａに垂直な第１の軸１０により、ビデオカメラ２０に回動自在に支持されている。
【００２０】
次に、図２、図３を用いて画像表示パネル２の使用形態について説明する。図２に示すように、まず図１の状態から画像表示パネル２を上方向に移動させるため、第１の軸１０の回りに画像表示パネル２と連結部材９を略９０°回転させる。同図に示す、矢印Ｄ方向である。
また、画像表示パネル２は、図２に示すように、連結部材９に対して、第１の軸１０を含む平面に直交する第２の軸１１の回りに回動自在に支持されている。
つまり、第１の軸と第２の軸との関係が、カメラ本体部１の撮像レンズの光軸に対して直交する直交軸又はこの直交軸に平行な軸を第１の軸とされ、画像表示パネル２のいずれかの辺に沿い第１の軸と直交する直交軸又はこの直交軸に平行な軸を第２の軸とされていればよいことになる。
【００２１】
従って、図３に示すように、画像表示パネル２の表示面２ａがビデオカメラ２０の後方に向くように、第１の軸１０回りに矢印Ｅ方向に略９０°回転させることができる。
すなわち、第１の軸１０上で連結部材９がカメラ部本体１に接合する部位１０ａと第２の軸１１上で連結部材９が画像表示パネル部２に接合する部位との同図において天地方向の距離ａが、第１の軸１０上で連結部材９がカメラ部本体１に接合する部位１０ａとカメラ部本体上部１ｂとの同様に天地方向の距離ｂより大とすることで上述の回動動作を可能にしている。
【００２２】
これにより、ビデオカメラ２０使用状態で画像表示パネル２はビデオカメラ２０上方において、ビデオカメラ２０後部から画像表示パネル２の表示面２ａを見ることができるようにしている。
また、図３の使用状態からＥとは逆の方向Ｅ２に１８０度回動させた位置に画像表示パネル２を支持することも可能であり、ユーザがセルフ撮影する場合ユーザ側から画像表示パネル２の表示面２ａを見ることができるようにしている。
【００２３】
次に、図４〜図６を用いて、グリップベルト取り付け部材６とグリップベルト取り付け部材８を選択してグリップベルト３を取り付け、ビデオカメラ２０左側にグリップベルト３を取り付けた左手でビデオカメラ２０を保持する場合を説明する。
【００２４】
図４は、グリップベルト取り付け部材６とグリップベルト取り付け部材８を選択してグリップベルト３を取り付け左手でビデオカメラ２０を保持する場合の外観図である。
【００２５】
図１の説明同様、画像表示パネル２は、連結部材９を介してビデオカメラ２０に接続されており、また連結部材９はビデオカメラ２０側面上部に設けた側面に垂直な第１の軸１０により、ビデオカメラ２０に回転自在に支持されている。
【００２６】
次に、図５、図６を用いて画像表示パネル２の使用形態について説明する。図５に示すように、まず図４の状態から画像表示パネル２を上方向に移動させるため、第１の軸１０の回りに画像表示パネル２と連結部材９とを略９０°回転させる。同図に示す、矢印Ｄ方向である。
【００２７】
また、画像表示パネル２は、図５に示すように、第１の軸１０と直行した第２の軸１１の回りに連結部材９と回動自在に支持されており、さらに、図６に示すように、画像表示パネル２の表示面２ａがビデオカメラ２０後方に向くように、矢印Ｅ方向に略９０°回転させる。
【００２８】
これにより、ビデオカメラ２０使用状態で画像表示パネル２はビデオカメラ２０上方において、ビデオカメラ２０後部から画像表示パネル２の表示面２ａを見ることができるようになる。
【００２９】
上述のように本実施例では、カメラ部本体側部１ａの一部に画像表示パネル２を収容するようにしており、グリップベルト３を左側に配置し、左手でビデオカメラ２０を保持している状態であっても画像表示パネル２と連結部材９とが把持する手の力が加わらないよう構成したので、左手でビデオカメラ２０を保持している状態であっても画像表示パネル２をビデオカメラ２０上方に引き出すことが容易に可能となる。
【００３０】
なお、上述の説明では、ビデオカメラ２０前部にはグリップベルト取り付け部材７及びグリップベルト取り付け部材８に対応した１つのグリップベルト取り付け部材６が設けられる構成を説明したが、グリップベルト取り付け部材７及びグリップベルト取り付け部材８それぞれに対応した別個のグリップベルト取り付け部材を設置してもよい。
【００３１】
また、上述の実施例では、グリップベルト３の配置について説明したが、グリップベルト取り付け部材７及びグリップベルト取り付け部材８それぞれに対応した位置に操作ボタンを別個に配置するように構成すればなおの利便性の向上が可能である。
【００３２】
さらに、上述の実施例では、画像表示パネル２と連結部材９とは回動可能に支持されているが、画像表示パネル２が連結部材９に対して図６のＦの方向であるパネルの延在方向に沿って移動可動な構成としてもよく、このように構成することにより右手でビデオカメラ２０を保持している状態、左手でビデオカメラ２０を保持している状態それぞれの状態に応じた画像表示パネル２の左右の位置設定が可能となり、ユーザの利便性がより向上する。
【００３３】
さらにまた、上述の実施例のように構成することにより、記録メディアの機構部分や脱着部の開閉部の配置位置、操作系ボタンの配置位置などがビデオカメラのどの部位にあっても、それぞれの設置位置にかかわらず画像表示パネル２の位置設定が可能となり、ユーザの利便性がより向上する。
【図面の簡単な説明】
【００３４】
【図１】本実施例に適用されるビデオカメラの外観図を示す図である（右手保持）。
【図２】本実施例に適用されるビデオカメラの画像表示パネルの動作を説明する図である（右手保持）。
【図３】本実施例に適用されるビデオカメラの画像表示パネルの動作を説明する図である（右手保持）。
【図４】本実施例に適用されるビデオカメラの外観図を示す図である（左手保持）。
【図５】本実施例に適用されるビデオカメラの画像表示パネルの動作を説明する図である（左手保持）。
【図６】本実施例に適用されるビデオカメラの画像表示パネルの動作を説明する図である（左手保持）。
【図７】従来のカメラ一体型記録再生装置の外観例を示した図である。
【図８】従来のカメラ一体型記録再生装置の外観例を示した図である。
【図９】従来のカメラ一体型記録再生装置の外観例を示した図である。
【図１０】従来のカメラ一体型記録再生装置の外観例を示した図である。
【図１１】従来のカメラ一体型記録再生装置の問題点を説明するための図である。
【図１２】従来のカメラ一体型記録再生装置の問題点を説明するための図である。
【図１３】従来のカメラ一体型記録再生装置の問題点を説明するための図である。
【符号の説明】
【００３５】
２０…ビデオカメラ
１…カメラ部本体
１ａ…カメラ部本体側部
１ｂ…カメラ部本体上部
２…画像表示パネル
２ａ…画像表示パネル表示面
３…グリップベルト
４…蓋
４ａ，５ａ，５ｂ…回転軸
６，７，８…グリップベルト取り付け部
９…連結部材
１０…第１の軸
１０ａ…連結部材とカメラ部本体側部との接合部位
１１…第２の軸
【図１】
2008035344.tif 000003
【図２】
2008035344.tif 000004
【図３】
2008035344.tif 000005
【図４】
2008035344.tif 000006
【図５】
2008035344.tif 000007
【図６】
2008035344.tif 000008
【図７】
2008035344.tif 000009
【図８】
2008035344.tif 000010
【図９】
2008035344.tif 000011
【図１０】
2008035344.tif 000012
【図１１】
2008035344.tif 000013
【図１２】
2008035344.tif 000014
【図１３】
2008035344.tif 000015